(57)【要約】【課題】  電線を曲げること無く挿通できるようキャビネットの天板端部まで開口した開口部をキャビネットの上部に形成しても、キャビネットの変形を抑えることができ、またキャビネット内に支持金具を設けること無く電線の結束固定を適宜箇所で行うことができる分電盤の電線支持構造を提供する。【解決手段】  分電盤１の内部左右側部に、スリット孔１１が適宜箇所に設けられた棒状の電線ガイド金具３を夫々起立配置し、キャビネット２の天板２ａに形成した開口部２０から電線ガイド金具３の上部を突出させ、分電盤１から送出される電線４を電線ガイド金具３に支持固定して送出させた。キャビネット２内において、電線ガイド金具３を上下に亘り配設し、キャビネット２の背板に対して連結して取り付けた。【選択図】  図１
2011223812.tif 000002
【特許請求の範囲】
【請求項１】
分電盤内の左右側部に、電線支持部が適宜箇所に設けられた棒状の電線ガイド金具を夫々起立配置すると共に、分電盤キャビネットの天板に形成した開口部から前記電線ガイド金具の上部を突出させ、
分電盤から送出される電線を前記電線ガイド金具に支持固定して送出することを特徴とする分電盤の電線支持構造。
【請求項２】
前記電線ガイド金具は、前記キャビネットの高さより長く、前記キャビネット内の上下全域に亘り配設され、前記キャビネットの背板に連結固定されることを特徴とする請求項１記載の分電盤の電線支持構造。
【請求項３】
前記電線ガイド金具は、１側面が開放形成された断面略コ字状の枠体であり、左右に配置した電線ガイド金具は、互いに開放面を対向させて設置してなることを特徴とする請求項１又は２記載の分電盤の電線支持構造。
【請求項４】
前記電線ガイド金具に設けた電線支持部は、対で形成された複数の透孔であることを特徴とする請求項１乃至３の何れかに記載の分電盤の電線支持構造。
【発明の詳細な説明】
【技術分野】
【０００１】
本発明は、分電盤内及び分電盤から送出される電線を支持する分電盤の電線支持構造に関する。
【背景技術】
【０００２】
分電盤は通常壁面に設置され、分電盤から送出された電線は主に天井に向けて配設される。そして、その後各電気機器や電源装置に向けて敷設され、従来のこのように配設された電線は、分電盤キャビネットの天板に開口部を設けて、開口部から天井に向けて配設された。この時、分電盤と天井との間の空間には、配設された電線を結束支持するためにスペースダクト等の電線固定部材が設置された（例えば、特許文献１参照）。図８はこの一例を示し、キャビネットの天板に電線挿通のための開口部３０を設けた分電盤３１の天板に電線を支持するための箱状のスペースダクト３２を連結する構成を示している。
また分電盤内での電線の固定は、適宜箇所に支持金具を配置して電線を結束固定した（例えば、特許文献２参照）。
【先行技術文献】
【特許文献】
【０００３】
【特許文献１】特開２０００−５０４５６号公報
【特許文献２】実開平７−４２９８４号公報
【発明の概要】
【発明が解決しようとする課題】
【０００４】
しかしながら、キャビネットの天板はキャビネットの構造材でもあるため、開口部を大きく形成するとキャビネットの強度が低下して変形が発生し、分電盤の扉が閉め難くなったりする問題があった。そのため、開口部は周辺部を残して小さく形成され、電線を開口部に挿通する際には残した周辺部の幅に応じて電線を曲げて入出させなければならなかった。
また、キャビネット内では、予め設置されている支持金具を利用して電線を結束固定していたため、固定する場所が限定されていたし、電線支持金具がキャビネットの内底部に配置されている場合は、固定作業が面倒であったし、電線本数が多くなると結束固定が更に難しかった。
【０００５】
そこで、本発明はこのような問題点に鑑み、電線を曲げること無く挿通できるようキャビネットの天板端部まで開口した開口部をキャビネットの上部に形成しても、キャビネットの変形を抑えることができ、またキャビネット内に支持金具を設けること無く電線の結束固定を適宜箇所で行うことができる分電盤の電線支持構造を提供することを目的としている。
【課題を解決するための手段】
【０００６】
上記課題を解決する為に、請求項１の発明に係る分電盤の電線支持構造は、分電盤内の左右側部に、電線支持部が適宜箇所に設けられた棒状の電線ガイド金具を夫々起立配置すると共に、分電盤キャビネットの天板に形成した開口部から前記電線ガイド金具の上部を突出させ、分電盤から送出される電線を前記電線ガイド金具に支持固定して送出することを特徴とする。
この構成によれば、電線ガイド金具により、分電盤内における電線の支持及び分電盤から送出される電線の支持が適宜箇所で実施でき、分電盤内に電線支持のための部材を別途設ける必要が無くなるし、露出した電線を支持するための例えばスペースダクトのような支持部材が必要無くなる。そして、電線ガイド金具に電線を沿わせることで分電盤内から分電盤外へ電線を一直線に配設することができ、電線をスムーズに配設できる。
【０００７】
請求項２の発明は、請求項１に記載の構成において、前記電線ガイド金具は、前記キャビネットの高さより長く、前記キャビネット内の上下全域に亘り配設され、前記キャビネットの背板に連結固定されることを特徴とする。
この構成によれば、キャビネット内の何れの部位においても左右側部で電線を支持固定することができる。そして、電線ガイド金具はキャビネットの背板に連結されるので、天板にストレスが加わることがなく、開口部を天板端部まで拡大してもキャビネットの変形を防ぐことが可能となる。
【０００８】
請求項３の発明は、請求項１又は２に記載の構成において、前記電線ガイド金具は、１側面が開放形成された断面略コ字状の枠体であり、左右に配置した電線ガイド金具は、互いに開放面を対向させて設置してなることを特徴とする。
この構成によれば、電線ガイド金具の開放面は内側を向くので、電線ガイド金具の強度維持と、電線の支持作業のし易さを両立させることができる。また、電線ガイド金具に支持された電線は、前方及び側方から見え難くいため美観上も好ましい。
【０００９】
請求項４の発明は、請求項１乃至３の何れかに記載の構成において、前記電線ガイド金具に設けた電線支持部は、対で形成された複数の透孔であることを特徴とする。
この構成によれば、対で形成された透孔にインシュロック等の結束部材を挿通して電線を結束固定することができ、スムーズに電線の結束固定ができる。
【発明の効果】
【００１０】
本発明によれば、分電盤内における電線の支持及び分電盤から送出される電線の支持ができるので、分電盤内に電線支持のための部材を別途設ける必要が無くなるし、露出した電線を支持するための例えばスペースダクトのような支持部材が必要無くなる。そして、電線ガイド金具に電線を沿わせることで分電盤内から分電盤外へ電線を一直線に配設することができ、電線をスムーズに配設できる。
また、電線ガイド金具はキャビネットの背板に連結されるので、天板にストレスが加わることがなく、開口部を天板端部まで拡大してもキャビネットの変形を防ぐことが可能となる。
【図面の簡単な説明】
【００１１】
【図１】本発明に係る分電盤の電線支持構造の一例を示す分電盤の斜視説明図である。
【図２】図１の右側面図である。
【図３】（ａ）は図１の平面図であり、（ｂ）はＡ部拡大図である。
【図４】電線ガイド金具を示し、（ａ）は斜視図、（ｂ）は平面図である。
【図５】分電盤上部にカバー枠を装着する様子を示す説明図である。
【図６】電線ガイド金具間に補強板を設けた分電盤の斜視説明図である。
【図７】電線ガイド金具の他の形状を示し、（ａ），（ｂ）は斜視図、（ｃ）は平面図である。
【図８】従来の分電盤の電線支持構造を示し、分電盤の上にスペースダクトを設置する様子を示している。
【発明を実施するための形態】
【００１２】
以下、本発明を具体化した実施の形態を、図面に基づいて詳細に説明する。図１〜図３は本発明に係る分電盤の電線支持構造の一例を示し、図１は分電盤の斜視説明図、図２は図１の分電盤の右側面図、図３は図１の分電盤の平面図である。各図において、１は分電盤、２は分電盤１の箱を構成するキャビネット、３は電線ガイド金具、４は電線であり、分電盤１はキャビネット２内に、主幹ブレーカ５や分岐ブレーカ６を収納して使用される。尚、何れの図もキャビネット２前面を閉塞する扉板を取り外した状態を示している。
【００１３】
電線ガイド金具３は、図４に示すよう構成されている。図４（ａ）は斜視図、図４（ｂ）は平面図を示し、この図４に示すように電線ガイド金具３は、鋼板を略コ字状に折り曲げて形成された棒状体であり、分電盤１の横方に向けて配置される側面板３ａと、前方に向けて配置される前面板３ｂと、後方に向けて配置される背面板３ｃとを有し、１側面は開放されて形成されている。
【００１４】
そして、側面板３ａには前後方向に長いスリット孔１１が複数個所穿設され、前面板３ｂには後述するカバー枠の取り付けに使用されるねじ孔１２が設けられている。また、背面板３ｃにはキャビネット２にボルト止めしたり、露出した上部を壁面にボルト止めするためのボルト挿通孔１３が適宜部位に穿設されている。スリット孔１１は対を成すよう２個づつ所定の間隔で形成され、側面板３ａの上下に亘り多数設けられている。
更に、電線ガイド金具３をキャビネット２に組み付けた際に、スリット孔１１形成面がキャビネット２の側面と接触して電線４の結束作業がし辛くならないよう、側面板３ａには段部１４が形成されている。
【００１５】
このように構成された電線ガイド金具３は、図１に示すようにキャビネット２に取り付けられて電線４を支持する。以下、具体的に説明する。先ず、キャビネット２の天板２ａに電線ガイド金具３を挿通するための矩形の開口部２０を形成する。開口部２０は、天板２ａの左右に、縁を残すこと無く天板２ａの端部まで開口される。尚、この開口部２０を形成するに際し、キャビネット２作製時に開口部２０の輪郭に合わせてスリットを穿設しておき、開口部２０を打ち抜きにより容易に形成できるよう構成すると良い。
【００１６】
次に、形成した開口部２０に電線ガイド金具３を挿入する。電線ガイド金具３を上方から挿入し、下端部がキャビネット２の底部に接触するまで、或いは底部近傍に至るまで挿入する。尚、電線ガイド金具３はキャビネット２の高さより十分長く形成され、開放された１側面が内側を向くよう配置される。左右で使用する電線ガイド金具３，３は同一の形状のものが使用され、一方が反転されて使用される。
【００１７】
挿入された電線ガイド金具３は、少なくとも上下２箇所がキャビネット２に固定される。詳しくは、キャビネット２内には、図１に示すようにブレーカ等を取り付けるための木板取付金具２１がキャビネット２の背板である内底部に取り付けられており、この木板取付金具２１に、図３(ｂ）のＡ部拡大図に示すように前方に向けて突出させたボルト２２が組み付けられ、このボルト２２とナット２３により背面板３ｃが固定され、電線ガイド金具３が取り付けられる。
【００１８】
この結果、図１に示すように分電盤１の内部から外部上方にかけて電線支持構造が形成され、分電盤１内の電気機器に接続された電線４が電線ガイド金具３に結束固定される。詳しくは、主幹ブレーカ５に接続された電線４ａや個々の分岐ブレーカ６の電線４ｂが、左右何れか近い方の電線ガイド金具３に向けて横方向へ配設され、その後電線ガイド金具３に支持されて上方に引き出される。
そして、その間電線ガイド金具３の側面板３ａに設けられた対のスリット孔１１にインシュロック等の結束部材が挿通され、電線４の適宜部位が結束固定される。この際、上方に露出した電線ガイド金具３を天井に到達する長さとすれば、電線４を天井まで一直線に良好に支持することができる。尚、結束部材１８により電線４を電線ガイド金具３に結束固定した状態を図３に示している。
【００１９】
このように、電線ガイド金具３により、分電盤１の内部における電線４の支持及び分電盤１から送出される電線の支持が適宜箇所で実施でき、分電盤内に電線支持のための部材を別途設ける必要が無くなるし、露出した電線４を支持するための例えばスペースダクトのような支持部材が必要無くなる。そして、電線ガイド金具３に電線４を沿わせることで分電盤内から分電盤外へ電線を一直線に配設することができ、電線４をスムーズに配設できる。
また、キャビネット２内において上下に亘り電線ガイド金具３を配置したので、何れの部位においても、左右側部で電線４を支持固定することができる。そして、電線ガイド金具３はキャビネット２の背板に連結されるので、天板２ａにストレスが加わることがなく、開口部２０を天板２ａの端部まで拡大してもキャビネット２の変形を防ぐことが可能となる。
更に、電線ガイド金具３は断面略コ字状に形成され、開放された側面は内側を向くので、電線ガイド金具３の強度維持と電線の支持作業のし易さを両立させることができるし、電線ガイド金具３に支持された電線４は、前方及び側方から見え難くいため美観上も好ましい。
また、対で形成された透孔にインシュロック等の結束部材１８を挿通して電線４を結束固定することができ、スムーズに電線４の結束固定ができる。
【００２０】
図５は、上記構成の電線支持構造の露出部にカバー枠８を取り付けて、露出した電線ガイド金具３を覆い隠す構成を示している。カバー枠８は、前面及び左右側面を有してコ字状に形成され、キャビネット２の幅及び電線ガイド金具３の奥行きに合わせた寸法で形成されている。このカバー枠８は、分電盤１上方の露出している一対の電線ガイド金具３，３に対して前方から押し当て、電線ガイド金具３の前面板３ｂに設けられたねじ孔１２に対応するよう設けられた孔８ａを介してねじ止めすることで固定される。この結果、分電盤１の上方に露出した電線ガイド金具３はカバー枠８により覆われ、美観上好ましい形態にできる。
【００２１】
また、図６は左右の電線ガイド金具３，３の間に補強板９を渡した構成を示している。補強板９は、左右端部が電線ガイド金具３の背面板３ｃに形成されたボルト挿通孔１３にボルト止めされ、左右の電線ガイド金具３に連結される。また、この補強板９は適宜部位に矩形の孔９ａが穿設され、インシュロック等を挿通して電線４を結束固定できるよう構成されている。こうして補強板９を設けることで、電線ガイド金３具の露出部に対し補強でき、露出部が長い場合でも歪み等の発生を防止できる。また、補強板９に対しても電線４の固定ができ、電線固定部位の自由度が広がる。
【００２２】
更に、図７は電線ガイド金具３の他の形状を示し、（ａ），（ｂ）は異なる方向からみた斜視図、（ｃ）は平面図である。この図７では、結束部材８を挿通するための孔を対で形成せずに、前後に長い長孔１１ａを同一間隔で複数設けている。そして、個々の長孔１１ａの中央に、紐状の切り起こし片２５を前後方向に掛け渡し、側面板３ａには上記図４に示す段部１４を設けず、平坦に形成している。
この切り起こし片２５は、側面板３ａに対して内側に一段引っ込めて形成され、側面板３ａと切り起こし片２５の間において、上下方向の隙間Ｓが形成されている。
このように紐状の切り起こし片を設けることで、インシュロック等の結束部材は隙間Ｓに挿通するだけで電線を固定でき、結束固定操作がし易くなる。
【００２３】
尚、上記実施形態では、電線ガイド金具３を固定する際、背面板３ｃを基板取付金具２１に設けたボルト２２にナット２３を用いて固定しているが、側面板３ａをキャビネット２の側面にねじ止めして固定しても良い。
【符号の説明】
【００２４】
１・・分電盤、２・・キャビネット、２ａ・・天板、３・・電線ガイド金具、４・・電線、８・・カバー枠、９・・補強枠、１１・・スリット孔（透孔）、１１ａ・・長孔（透孔）１８・・結束部材、２０・・開口部。
【図１】
2011223812.tif 000003
【図２】
2011223812.tif 000004
【図３】
2011223812.tif 000005
【図４】
2011223812.tif 000006
【図５】
2011223812.tif 000007
【図６】
2011223812.tif 000008
【図７】
2011223812.tif 000009
【図８】
2011223812.tif 000010